(57)【要約】【課題】手動清掃具を往復移動させて清掃する際に、操作者がゴツゴツした違和感や引っ掛かりを覚えることを防止する。【解決手段】傾毛ブラシ体４の不完全円筒面４０ではない箇所に第１のストッパ部材５ａと第２のストッパ部材５ｂとをそれぞれ設ける。上記第１のストッパ部材５ａと係合する第１の係合部８ａを第１の受塵ブラシ体６ａに設けるとともに、上記第２のストッパ部材５ｂと係合する第２の係合部８ｂを第２の受塵ブラシ体６ｂに設ける。上記傾毛ブラシ体４は、上記第１のストッパ部材５ａと上記第１の係合部８ａとの係合が一方の揺動限度となるようにし、上記第２ストッパ部材５ｂと上記第２の係合部材８ｂとの係合が他方の揺動限度となるように構成する。【選択図】  図１
2004329618.tif 000002
【特許請求の範囲】
【請求項１】
ケーシングと、同ケーシングに一定角度だけ揺動自在に支持された不完全円筒形状の傾毛ブラシ体とを具備し、
上記傾毛ブラシ体の不完全円筒面を被清掃物の表面で摺動させることにより除塵する手動清掃具において、
上記傾毛ブラシ体の不完全円筒面を第１の摺動面と第２の摺動面とに区画し、上記第１の摺動面及び第２の摺動面のそれぞれに毛材を設けるとともに、上記第１の摺動面に設けた毛材の毛先と、上記第２の摺動面に設けた毛材の毛先とを、それぞれ、ケーシング内に向かって傾斜させて両毛材の傾倒方向が異なるようにし、
上記第１の摺動面に隣接して第１の受塵ブラシ体を上記ケーシングに揺動自在に支持するとともに、第１のばね部材によって上記第１の受塵ブラシ体を上記第１の摺動面に向けて付勢し、
上記第２の摺動面に隣接して第２の受塵ブラシ体を上記ケーシングに揺動自在に支持するとともに、第２のばね部材によって上記第２の受塵ブラシ体を上記第２の摺動面に向けて付勢し、
上記傾毛ブラシ体の不完全円筒面ではない箇所に第１のストッパ部材と第２のストッパ部材とをそれぞれ設け、
上記第１のストッパ部材と係合する第１の係合部を上記第１の受塵ブラシ体に設けるとともに、上記第２のストッパ部材と係合する第２の係合部を上記第２の受塵ブラシ体に設け、
上記第１のストッパ部材と上記第１の係合部との係合を上記傾毛ブラシ体の一方の揺動限度とし、上記第２のストッパ部材と上記第２の係合部との係合を上記傾毛ブラシ体の他方の揺動限度とした、ことを特徴とする手動清掃具。
【請求項２】
請求項１に記載の手動清掃具において、
前記ケーシングに、前記傾毛ブラシ体と並列にローラーブラシ体を回転自在に支持させた、ことを特徴とする手動清掃具。
【請求項３】
請求項２に記載の手動清掃具において、
前記傾毛ブラシ体と前記ローラーブラシ体とをそれぞれ支持する支持部を弾性変形可能に構成するとともに、上記各支持部に、上記傾毛ブラシ体と上記ローラーブラシ体の取り付け／取り外しを容易にするガイド溝を形成した、ことを特徴とする手動清掃具。
【発明の詳細な説明】
【０００１】
【発明の属する技術分野】
本発明は、絨毯やカーペット等の清掃に適した手動清掃具に関する。
【０００２】
【従来の技術】
この種の発明の従来技術として、例えば特許文献１に記載されたものがある。
この特許文献１には、ケーシングと、同ケーシングに一定角度だけ揺動自在に支持された不完全円筒形状の傾毛ブラシ体と、同傾毛ブラシ体と並列にケーシングに支持された回転自在なローラーブラシ体とを具備した手動清掃具が記載されている。この手動清掃具は、把持部を握って絨毯やカーペット等の被清掃物の表面を往復移動させることにより、傾毛ブラシ体を摺動させるとともにローラーブラシ体を回転させて、糸屑や毛髪等のごみや塵埃を除塵するようになっている。
【０００３】
【特許文献１】
実公平４−２５１０４号公報
【０００４】
【発明が解決しようとする課題】
しかし、上記特許文献１に記載の従来技術では、傾毛ブラシ体の揺動を一定範囲に規制するストッパ（接触子１６）が、傾毛ブラシ体の摺動面である不完全円筒面に設けられているため、往復移動を切り換える際に、ストッパが被清掃物の表面に直立しスムーズな往復移動ができない。このため、操作者がゴツゴツした違和感や引っ掛かりを覚えるという問題があった。また、強く操作すると絨毯やカーペットを傷つけるという問題もあった。
【０００５】
【課題を解決するための手段】
かかる問題を解決するために、本発明は、以下のように構成したことを特徴とする。
すなわち、請求項１に係る発明は、ケーシングと、同ケーシングに一定角度だけ揺動自在に支持された不完全円筒形状の傾毛ブラシ体とを具備し、上記傾毛ブラシ体の不完全円筒面を被清掃物の表面で摺動させることにより除塵する手動清掃具において、上記傾毛ブラシ体の不完全円筒面を第１の摺動面と第２の摺動面とに区画し、上記第１の摺動面及び第２の摺動面のそれぞれに毛材を設けるとともに、上記第１の摺動面に設けた毛材の毛先と、上記第２の摺動面に設けた毛材の毛先とを、それぞれ、ケーシング内に向かって傾斜させて両毛材の傾倒方向が異なるようにし、上記第１の摺動面に隣接して第１の受塵ブラシ体を上記ケーシングに揺動自在に支持するとともに、第１のばね部材によって上記第１の受塵ブラシ体を上記第１の摺動面に向けて付勢し、上記第２の摺動面に隣接して第２の受塵ブラシ体を上記ケーシングに揺動自在に支持するとともに、第２のばね部材によって上記第２の受塵ブラシ体を上記第２の摺動面に向けて付勢し、上記傾毛ブラシ体の不完全円筒面ではない箇所に第１のストッパ部材と第２のストッパ部材とをそれぞれ設け、上記第１のストッパ部材と係合する第１の係合部を上記第１の受塵ブラシ体に設けるとともに、上記第２のストッパ部材と係合する第２の係合部を上記第２の受塵ブラシ体に設け、上記第１のストッパ部材と上記第１の係合部との係合を上記傾毛ブラシ体の一方の揺動限度とし、上記第２のストッパ部材と上記第２の係合部との係合を上記傾毛ブラシ体の他方の揺動限度とした、ことを特徴とする。
【０００６】
請求項２に係る発明は、請求項１に記載の手動清掃具において、前記ケーシングに、前記傾毛ブラシ体と並列にローラーブラシ体を回転自在に支持させた、ことを特徴とする。
【０００７】
請求項３に係る発明は、請求項２に記載の手動清掃具において、前記傾毛ブラシ体と前記ローラーブラシ体とをそれぞれ支持する支持部を弾性変形可能に構成するとともに、上記各支持部に、上記傾毛ブラシ体と上記ローラーブラシ体の取り付け／取り外しを容易にするガイド溝を形成した、ことを特徴とする。
【０００８】
【発明の作用効果】
（請求項１に係る発明）
▲１▼上記傾毛ブラシ体の不完全円筒面ではない箇所に第１のストッパ部材と第２のストッパ部材とをそれぞれ設けたので、手動清掃具をスムーズに往復移動させることができる。この結果、清掃の際に、操作者がゴツゴツ感や引っ掛かりを覚えることはなくなり、また、強く操作しても絨毯やカーペットを傷つけることもない。
【０００９】
▲２▼上記傾毛ブラシ体の不完全円筒面を第１の摺動面と第２の摺動面とに区画し、上記第１の摺動面及び第２の摺動面のそれぞれに毛材を設けるとともに、上記第１の摺動面に設けた毛材の毛先と、上記第２の摺動面に設けた毛材の毛先とを、それぞれ、ケーシング内に向かって傾斜させて両毛材の傾倒方向が異なるようにしたので、往復移動のいずれにおいても除塵することができ、清掃効率が上昇する。
【００１０】
▲３▼上記第１の摺動面に隣接して第１の受塵ブラシ体をケーシングに揺動自在に支持するとともに、第１のばね部材によって上記第１の受塵ブラシ体を上記第１の摺動面に向けて付勢し、また、上記第２の摺動面に隣接して第２の受塵ブラシ体をケーシングに揺動自在に支持するとともに、第２のばね部材によって上記第２の受塵ブラシ体を上記第２の摺動面に向けて付勢したので、傾毛ブラシ体の第１の摺動面によって集塵された塵埃は、傾毛ブラシ体の揺動動作により第１の受塵ブラシ体に受け渡され、他方、傾毛ブラシ体の第２の摺動面によって集塵された塵埃も、傾毛ブラシ体の揺動動作により第２の受塵ブラシ体に受け渡されることになり、各摺動面に付着した塵埃は効率よくケーシング内に移送されることになる。これにより、傾毛ブラシ体に塵埃が溜まることを防止できる。
【００１１】
（請求項２に係る発明）
▲４▼前記ケーシングに、前記傾毛ブラシ体と並列にローラーブラシ体を回転自在に支持させたので、傾毛ブラシ体による除塵効果に加えてローラーブラシ体による除塵効果も期待することができ、大きさや種類の異なる塵埃を効果的に清掃することができる。
【００１２】
（請求項３に係る発明）
▲５▼前記傾毛ブラシ体と前記ローラーブラシ体とをそれぞれ支持する支持部を弾性変形可能に構成するとともに、上記各支持部に、上記傾毛ブラシ体と上記ローラーブラシ体の取り付け／取り外しを容易にするガイド溝を形成したので、傾毛ブラシ体やローラーブラシ体の取り付け／取り外しをガイド溝に沿って容易に行うことができ、手動清掃具の組立効率や手入れ時の効率が上がる。
【００１３】
【発明の実施の形態】
以下、図面に基づいて、本発明の実施形態について説明する。図１は本発明の実施形態の正面視断面図、図２は上記実施形態において上部体を取り外した状態の平面図、図３は上記実施形態のＩＩＩ−ＩＩＩ線矢視断面図、図４は上記実施形態のＩＶ−ＩＶ線矢視部分断面図、図５は上記実施形態の底面図、図６は上記実施形態のケーシングの下部体の正面視断面図であり、本実施形態の支持部を示す図、図７は上記実施形態の正面図、図８は上記実施形態の作動を説明するための図であり、図１のＸ方向へ手動清掃具を移動させたときの図、図９は上記実施形態の作動を説明するための図であり、図１のＹ方向へ手動清掃具を移動させたときの図である。
【００１４】
この実施形態に係る手動清掃具１は、プラスチック製のケーシング２と、同ケーシング２内に支持されたローラーブラシ体３及び傾毛ブラシ体４とを備える。
上記ケーシング２は、上部体２ａと下部体２ｂとからなる。この上部体２ａと下部体２ｂとは取り付け／取り外し可能に構成され、後述するように、上部体２ａは蓋として機能し、下部体２ｂは捕集した塵埃を貯留する塵埃受けとして機能する。上部体２ａの中央部には、図１の左右方向にわたって一体成形された把持部２０が突設されている。
【００１５】
下部体２ｂの内部は、主として第１室２１と第２室２２とに区画されている。具体的には、下部体２ｂの底面から２つの仕切壁２３・２４と２つの側壁２５・２６とが立設され、第１室２１は仕切壁２３と側壁２５・２６とによって囲繞され、第２室２２は仕切壁２３・２４と側壁２５・２６とによって囲繞されている。第１室２１の底面には第１の開口部１１が形成され、第２室２２の底面には第２の開口部１２が形成されている。
【００１６】
図１と図２と図６に示すように、上記の側壁２５・２６には、支持部２７ａ・２７ｂ・２７ｃ・２７ｄが形成されている。この支持部２７ａ・２７ｂ・２７ｃ・２７ｄは、後述するローラーブラシ体３あるいは傾毛ブラシ体４を枢支するためのもので、支持部２７ａとと支持部２７ｂとが対をなしてローラーブラシ体３を枢支し、支持部２７ｃと支持部２７ｄとが対をなして傾毛ブラシ体４を枢支するようになっている。これらの支持部２７ａ・２７ｂ・２７ｃ・２７ｄは、いずれも弾性変形可能に構成され、その各々には、ローラーブラシ体３あるいは傾毛ブラシ体４の取り付け／取り外しを容易にするためのガイド溝２８が形成されている。
【００１７】
ローラーブラシ体３は、図２及び図４に示すように、針金からなる芯材３１に比較的毛足の長い毛材３２を植設して構成されている。このローラーブラシ体３の両端部には、被清掃物の表面との摩擦により回転する転動輪３３がそれぞれ設けられている。このローラーブラシ体３は、ケーシング２内の第１室２１に収容され、支持部２７ａ・２７ｂに正逆転自在に支持される。このローラーブラシ体３は、第１の開口部１１から、その毛材３２の一部が露出するようになっている。なお、ケーシング２内には、このローラーブラシ体３に沿うようにして、その両側に集塵室２９が設けられ、ローラーブラシ体３によって掻き上げられた塵埃が溜まるようになっている。
【００１８】
傾毛ブラシ体４は、図１ないし図３に示すように、不完全円筒形状（本実施形態では半円筒形状）に形成されている。この傾毛ブラシ体４は、ケーシング２の第２室２２に収容され、支持部２７ｃ・２７ｄに枢支されている。この傾毛ブラシ体４の側面のうち、不完全円筒面４０（半円筒面４０）は、清掃操作の際に被清掃物の表面を摺動する摺動面として機能する。この半円筒面４０は、さらに２つの４分の１円筒面に区画されている。具体的には、この半円筒面４０は、後述のローラーブラシ体３寄りに位置する第１の摺動面４１と、同ローラーブラシ体３とは反対側に位置する第２の摺動面４２に区画されている。
【００１９】
図１に示すように、これら第１の摺動面４１と第２の摺動面４２は、それぞれ、毛先がケーシング２内に向かって傾斜する多数の毛材４３を備えている。本実施形態における第１の摺動面４１と第２の摺動面４２には、それぞれ、毛先がケーシング２内に向かって傾斜する多数の毛材４３を備えた布が貼付されている。
【００２０】
一方、傾毛ブラシ体４の側面のうち、上記不完全円筒面４０ではない略矩形状の面４５には、第１のストッパ部材５ａと第２のストッパ部材５ｂとが立設されている。後述するように、これらのストッパ部材５ａ・５ｂにより、傾毛ブラシ体４の揺動は一定角度範囲に規制されている。
【００２１】
この傾毛ブラシ体４の不完全円筒面４０に臨んで、第１の受塵ブラシ体６ａと第２の受塵ブラシ体６ｂとがケーシング２に揺動自在に支持されている。具体的には、第１の受塵ブラシ体６ａは、傾毛ブラシ体４の第１の摺動面４１に対面するようにケーシング２に支持され、第２の受塵ブラシ体６ｂは、傾毛ブラシ体４の第２の摺動面４２に対面するようにケーシング２に支持されている。
【００２２】
これら第１の受塵ブラシ体６ａあるいは第２の受塵ブラシ体６ｂがそれぞれ第１の摺動面４１あるいは第２の摺動面４２と対面する部分には、これら摺動面４１・４２に貼付された布と同じ材質の布がそれぞれ貼付されている。この第１の受塵ブラシ体６ａと第２の受塵ブラシ体６ｂに貼付された布の毛材６１は、毛先がケーシング２内に向かって傾斜するようになっている。また、第１の受塵ブラシ体６ａと第２の受塵ブラシ体６ｂは、それぞれ、第１のばね部材７ａと第２のばね部材７ｂとによって、第１の摺動面４１あるいは第２の摺動面４２に向けて付勢されている。このように構成される結果、傾毛ブラシ体４の各摺動面４１・４２に付着した塵埃は、傾毛ブラシ体４の揺動動作により、第１の受塵ブラシ体６ａあるいは第２の受塵ブラシ体６ｂに移ることになり、傾毛ブラシ体４に塵埃が溜まることが防止される。
【００２３】
第１の受塵ブラシ体６ａと第２の受塵ブラシ体６ｂには、前記第１のストッパ部材５ａあるいは第２のストッパ部材５ｂと係合する第１の係合部８ａ及び第２の係合部８ｂが設けられている。これら第１の係合部８ａ及び第２の係合部８ｂは、それぞれ、第１の受塵ブラシ体６ａあるいは第２の受塵ブラシ体６ｂの一部を切り欠いて形成されている。傾毛ブラシ体４は、上記第１のストッパ部材５ａと上記第１の係合部８ａとの係合が一方の揺動限度となり、上記第２のストッパ部材５ｂと上記第２の係合部８ｂとの係合が他方の揺動限度となっている。
【００２４】
次に、このように構成された本実施形態の手動清掃具１を用いて清掃する場合について説明する。
【００２５】
まず、図１において、把持部２０を手にとり、手動清掃具１をＸ方向に移動させたとする。これにより、ローラーブラシ体３が反時計方向へ回転するとともに、傾毛ブラシ体４も第１のストッパ部材５ａと第１の係合部８ａとが係合するまでは反時計方向へ揺動する。第１のストッパ部材５ａと第１の係合部８ａとが係合した後は、第１の摺動面４１が第２の開口部１２からケーシング２外へ露出し、被清掃物の表面を摺動する（図８参照）。これにより、比較的大きなごみや塵埃は、ローラーブラシ体３によって掻き上げられてケーシング２内の集塵室２９へ捕集され、また、ローラーブラシ体３によっては除塵できなかった比較的小さなごみや塵埃は、傾毛ブラシ体４の第１の摺動面４１に絡めとられる。
【００２６】
次に、この状態から移動方向を切り換えて、手動清掃具１を図１のＹ方向へ移動させると、ローラーブラシ体３が時計方向へ回転するとともに、傾毛ブラシ体４も第２のストッパ部材５ｂと第２の係合部８ｂとが係合するまでは時計方向へ揺動する。このとき、第１の摺動面４１は、第１の受塵ブラシ体６ａに圧接されながらケーシング２内へ移動し、これに代わって、第２の摺動面４２が第２の開口部１２からケーシング２外へ露出する。第２のストッパ部材５ｂが第２の係合部８ｂに係合すると、傾毛ブラシ体４の時計方向の揺動は規制され、それ以後は、第２の摺動面４２が被清掃物の表面を摺動する（図９参照）。このような、ローラーブラシ体３の回転と傾毛ブラシ体４の第２の摺動面４２の摺動により、再びごみや塵埃が集塵される。すなわち、比較的大きなごみはローラーブラシ体３によって掻き上げられてケーシング２内の集塵室２９へ捕集される。一方、ローラーブラシ体３によっては除塵できなかった比較的小さなごみや塵埃は、傾毛ブラシ体４の第２の摺動面４２に絡めとられる。
【００２７】
この状態から再び移動方向を切り換えて、手動清掃具１をＸ方向へ移動させると、ローラーブラシ体３が反時計方向へ回転するとともに、傾毛ブラシ体４も第１のストッパ部材５ａと第１の係合部８ａとが係合するまでは反時計方向へ揺動する。このとき、第２の摺動面４２は、第２の受塵ブラシ体６ｂに圧接されながらケーシング２内へ移動し、一方、第１の摺動面４１は第１の受塵ブラシ体６ａに圧接されながら第２の開口部１２からケーシング２外へ露出する。このように、第１の摺動面４１が再び被清掃物の表面と接触するときには、さきに集塵されて第１の摺動面４１に付着していたごみや塵埃は、第１の受塵ブラシ体６ａに移動している。このため、各摺動面４１・４２に付着した塵埃は効率よくケーシング２内に移送され、傾毛ブラシ体４に塵埃が溜まり続けることはない。第１のストッパ部材５ａと第１の係合部８ａとが係合すると、それ以降は、第１の摺動面４１が被清掃物の表面を摺動し除塵する。
【００２８】
このように、本実施形態の手動清掃具１では、傾毛ブラシ体４の不完全円筒面４０ではない箇所に第１のストッパ部材５ａと第２のストッパ部材５ｂとをそれぞれ設けたので、手動清掃具１をスムーズに往復移動させることができる。この結果、清掃の際に、操作者がゴツゴツ感や引っ掛かりを覚えることはなくなり、また、強く操作しても絨毯やカーペットを傷つけるおそれはない。また、往復移動のいずれにおいても除塵することができるので清掃効率が高い。さらに、傾毛ブラシ体４と並列にローラーブラシ体３を設けたので、傾毛ブラシ体４による除塵効果に加えてローラーブラシ体３による除塵効果も期待することができ、大きさや種類の異なる塵埃を効果的に清掃することができる。
【００２９】
また、傾毛ブラシ体４とローラーブラシ体３とを支持する各支持部２７ａ・２７ｂ・２７ｃ・２７ｄをそれぞれ弾性変形可能に構成するとともに、同支持部２７ａ・２７ｂ・２７ｃ・２７ｄの各々に、上記傾毛ブラシ体４と上記ローラーブラシ体３の取り付け／取り外しを容易にするガイド溝２８を形成したので、傾毛ブラシ体４やローラーブラシ体３の取り付け／取り外しをガイド溝２８に沿って容易に行うことができ、手動清掃具１の組立効率や手入れ時の効率が上がる。
【図面の簡単な説明】
【図１】本発明の実施形態の正面視断面図である。
【図２】上記実施形態において上部体を取り外した状態の平面図である。
【図３】上記実施形態のＩＩＩ−ＩＩＩ線矢視断面図である。
【図４】上記実施形態のＩＶ−ＩＶ線矢視部分断面図である。
【図５】上記実施形態の底面図である。
【図６】上記実施形態のケーシングの下部体の正面視断面図であり、本実施形態の支持部を示す図である。
【図７】上記実施形態の正面図である。
【図８】上記実施形態の作動を説明するための図であり、図１のＸ方向へ手動清掃具を移動させたときの図である。
【図９】上記実施形態の作動を説明するための図であり、図１のＹ方向へ手動清掃具を移動させたときの図である。
【符号の説明】
２…ケーシング
３…ローラーブラシ体
４…傾毛ブラシ体
５ａ…第１のストッパ部材
５ｂ…第２のストッパ部材
６ａ…第１の受塵ブラシ体
６ｂ…第２の受塵ブラシ体
７ａ…第１のばね部材
７ｂ…第２のばね部材
８ａ…第１の係合部
８ｂ…第２の係合部
２７ａ…支持部
２７ｂ…支持部
２７ｃ…支持部
２７ｄ…支持部
２８…ガイド溝
４０…不完全円筒面（半円筒面）
４１…第１の摺動面
４２…第２の摺動面
４３…（傾毛ブラシ体の）毛材
【図１】
2004329618.tif 000003
【図２】
2004329618.tif 000004
【図３】
2004329618.tif 000005
【図４】
2004329618.tif 000006
【図５】
2004329618.tif 000007
【図６】
2004329618.tif 000008
【図７】
2004329618.tif 000009
【図８】
2004329618.tif 000010
【図９】
2004329618.tif 000011